(57)【要約】【課題】ボルトの緩みを目視判定できるワッシャーを提供する。【解決手段】バネ性を備えるテーパスプリングワッシャーであって、その一部を斜めに切断して、切断面に段差が形成されたテーパスプリングワッシャーであって、テーパスプリングワッシャーの表面と、切断面には、異なる着色を施して成ることを特徴とするワッシャー。【選択図】図１
2015178840.tif 000002
【特許請求の範囲】
【請求項１】
バネ性を備えるテーパスプリングワッシャーであって、
その一部を斜めに切断して、切断面に段差が形成されたテーパスプリングワッシャーであって、
前記テーパスプリングワッシャーの表面と、前記切断面には、異なる着色を施して成ることを特徴とするワッシャー。
【請求項２】
前記表面には黄色を着色し、前記切断面には、赤色を着色することを特徴とする請求項１に記載のワッシャー。
【請求項３】
強度が小さく径大な第１のテーパワッシャーと、強度が大きく径小な第２のテーパワッシャーを、互いの一面で接続させたダブルテーパワッシャー構造を成し、
前記第１のテーパワッシャーの表面に、前記第２のテーパワッシャーの外形の大きさに合わせた着色を施して成ることを特徴とするワッシャー。
【請求項４】
前記表面には黄色を着色することを特徴とする請求項３に記載のワッシャー。
【発明の詳細な説明】
【技術分野】
【０００１】
本発明は、ボルトの緩みを目視判定できるワッシャーに関するものである。
【背景技術】
【０００２】
従来、電気を流す導体等の接続箇所には、ボルト・ナット・ワッシャー等を使用して接続・固定を実施している。
【先行技術文献】
【特許文献】
【０００３】
【特許文献１】特開２００４−２１１８５４号公報
【特許文献２】特許第４４０１１６２号公報
【発明の概要】
【発明が解決しようとする課題】
【０００４】
従来の電気を流す導体等の接続箇所の固定は、ボルト・ナット・ワッシャー等を組合わせてトルクレンチ等を使用し適正な締め付け力で締め付けている。このボルトの締め付けが不十分な場合、導体の接触抵抗が増加して過熱する為、締め付け力不足や締め付け後の緩みは事故に繋がる。
【０００５】
しかし、緩みの程度は目視で判定できず、目視でわかる程度まで緩んだ場合は高温になっている可能性が高く、電気を供給している生産設備等を緊急停止し締め付け処置を実施しなければならないという問題があった。
【０００６】
そこで、本発明は上記のような課題を解決するためになされたものであり、ボルトの緩みを目視判定できるワッシャーを提供する。
【課題を解決するための手段】
【０００７】
本発明の一態様によれば、バネ性を備えるテーパワッシャーを、その一部を斜めに切断して、切断面に段差が形成されたテーパスプリングワッシャーであって、前記テーパスプリングワッシャーの表面と、前記切断面には、異なる着色を施して成ることを特徴とする。
【発明の効果】
【０００８】
本発明によれば、初期のボルトの緩みによりワッシャーの１段階目変形が目視で確認でき、この状態はある程度の締め付け力を維持していることから緊急の生産設備停止でなく計画的な設備停止で補修を実施できる。
【図面の簡単な説明】
【０００９】
【図１】本発明の第１の実施形態に係るワッシャーの概略構成を示す図である。
【図２】テーパスプリングワッシャーの動作を説明する図である。
【図３】本発明の第２の実施形態に係るワッシャーの概略構成を示す図である。
【図４】ダブルテーパワッシャーの動作を説明する図である。
【発明を実施するための形態】
【００１０】
本実施形態に係るワッシャーは、表面を色表示するとともに、２段階で緩みを目視で確認可能とするものである。
【００１１】
以下、本発明の実施形態について、図面を参照して説明する。尚、各図において同一箇所については同一の符号を付すとともに、重複した説明は省略する。
【００１２】
（第１の実施形態）
図１は、本発明の第１の実施形態に係るワッシャーの概略構成を示す図である。第１の実施形態に係るワッシャー３は、バネ性を備えるとともに、テーパワッシャーの一部を切断してスプリングワッシャーの様な段差が形成されたテーパスプリングワッシャー３である。
【００１３】
テーパスプリングワッシャー３の表面３ａには、例えば黄色、切断面３ｂには赤色を塗布する。本実施形態では、表面３ａと切断面３ｂとで異なる色であればよく、黄色と赤色に限定されることはない。
【００１４】
次に、以上のように構成したテーパスプリングワッシャー３の動作について説明する。図２は、テーパスプリングワッシャー３の動作を説明する図である。図２に示すように、導体７の接続部を、合わせボルト４とナット５で縫い合わせる。その際、導体７とボルト４の間、及び導体７とナット５の間にそれぞれテーパスプリングワッシャー３を挟みこむ。この状態でナット５を締め込むと、その圧力によりテーパスプリングワッシャー３の段差が無くなり、切断面３ｂに塗布した赤色の塗料が見えなくなる。
【００１５】
更にナット５を締め込むと、テーパスプリングワッシャー３のテーパの部分が潰れて平らになり、黄色の塗料がボルト４又はナット５によって隠れ、目視できなくなる。ユーザは、黄色の塗料が見えないことで確実に締まっていることを目視で確認でき、締め付け忘れを防止できる。
【００１６】
何らかの理由でナット５が緩むと、テーパスプリングワッシャー３のテーパの部分が元に戻り、ボルト４又はナット５によって隠れていた黄色が視認できる様になる。しかし、この段階ではテーパスプリングワッシャー３の段差の圧力で、短期間の通電には問題無い程度の締め付け力を維持しているので、計画的な設備停止で対応可能と判断できる。
【００１７】
更にナット５が緩むと、テーパスプリングワッシャー３の段差が戻り、赤色の塗装が視認できる様になる。この段階では殆ど導体７間に締め付け圧力は無く、急激に過熱する危険がある為、緊急の処置が必要であることが分かる。
【００１８】
（第２の実施形態）
次に、本発明の第２の実施形態について説明する。図３は、本発明の第２の実施形態に係るワッシャーの概略構成を示す図である。第２の実施形態に係るワッシャー１０は、強度が小さく径大なテーパワッシャー大８と、強度が大きく径小なテーパワッシャー小９を、互いの一面で接続させたダブルテーパワッシャー構造となっている。
【００１９】
ダブルテーパワッシャー１０のテーパワッシャー大８の表面において、テーパワッシャー小９の外形の大きさに合わせた領域８ａに、例えば、黄色を塗布する。黄色に限定されることはなく、赤色でもよい。したがって、テーパワッシャー大８の表面において、テーパワッシャー小９の外形よりも大きな領域８ｂは、無着色でも、黄色以外の着色を施してもよい。
【００２０】
次に、以上のように構成したダブルテーパワッシャー１０の動作について説明する。図４は、ダブルテーパワッシャー１０の動作を説明する図である。図４に示すように、導体１３の接続部を合わせボルト１１とナット１２で縫い合わせる。その際、導体１３とボルト１１の間、及び導体１３とナット１２の間にそれぞれダブルテーパワッシャー１０を挟みこむ。この状態でナット１２を締め込む。すると、その圧力により、先ず強度が大きいテーパワッシャー小９よりも強度が小さいテーパワッシャー大８が潰れて平らになり、黄色の塗料が目視し辛くなる。
【００２１】
更にナット１２を締め込むと、強度が大きいテーパワッシャー小９が潰れて平らになり、黄色の塗料がテーパワッシャー小９に隠れて見えなくなる。黄色の塗料が見えないことで確実に締まっていることを目視で確認でき、締め付け忘れを防止できる。
【００２２】
何らかの理由でナット１２が緩むと、ダブルテーパワッシャー１０のテーパワッシャー小９が元に戻り、テーパワッシャー大８の黄色の塗装が微かに視認できる様になる。しかし、この段階ではテーパワッシャー大８の圧力で、短期間の通電には問題無い程度の締め付け力を維持しているので、計画的な設備停止で対応可能と判断できる。
【００２３】
更にナット１２が緩むと、ダブルテーパワッシャー１０のテーパワッシャー大８が元に戻り、黄色の塗装がはっきり視認できる様になる。この段階では殆ど導体間に締め付け圧力は無く、急激に過熱する危険がある為、緊急の処置が必要であることが分かる。
【００２４】
以上説明したように、本発明の実施形態によれば、確実にボルトの緩みを目視判定することができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
３・・・テーパスプリングワッシャー
４、１１・・・ボルト
５、１２・・・ナット
６・・・平ワッシャー
７、１３・・・導体
８・・・テーパワッシャー大
９・・・テーパワッシャー小
１０・・・ダブルテーパワッシャー
【図１】
2015178840.tif 000003
【図２】
2015178840.tif 000004
【図３】
2015178840.tif 000005
【図４】
2015178840.tif 000006